(57)【要約】  線虫を用いた癌検査における線虫の品質解析を簡易に行うため、同一のシャーレ（５ａ）から線虫を分注された複数のシャーレ（５ｂ〜５ｆ）のうち、特定のシャーレ（５ｆ）における所定の場所に、標準物質が滴下され、この標準物質に対する線虫の走性行動を経過時間毎に撮影する品質解析装置１と、品質解析装置１から送られた情報を基に、標準物質に対する線虫の誘引行動及び忌避行動を分析し、分析の結果、線虫の品質に関する情報を出力する品質分析装置２と、品質走性解析用のシャーレ（５ｆ）以外のシャーレ（５ｂ〜５ｅ）を用いて癌検査を行う検査解析装置３及び検査分析装置４と、を有することを特徴とする。
2017081750.tif 000002
【特許請求の範囲】
【請求項１】
同一の培養単位から複数の解析単位に分注された線虫群が、癌検査のための検査走性解析用の線虫群である検査解析用線虫群と、線虫の品質保証解析のための品質走性解析用の線虫群である品質解析用線虫群と、に分けられており、
前記線虫がどのような走性行動を行うかが分かっている標準物質に対する前記品質解析用線虫群の走性行動に関する情報を出力する品質解析部と、
前記品質解析部ら出力される情報を基に、前記線虫の品質に関する情報を出力する品質分析部と、
被検者から提供された検体に対する前記検査解析用線虫群の走性行動に関する情報を出力する検査解析部と、
前記検査解析部ら出力される情報を基に、前記線虫の前記検体に対する誘引行動及び忌避行動に関する走性結果情報を生成し、前記走性結果情報を基に、前記検体を提供した被験者における前記癌検査の結果を出力する検査分析部と、
を有することを特徴とする癌検査システム。
【請求項２】
前記品質分析部は、
前記標準物質に対する前記品質解析用線虫群の誘引行動又は忌避行動を基に、前記品質解析用線虫群の品質に関する情報を出力する
ことを特徴とする請求項１に記載の癌検査システム。
【請求項３】
前記品質分析部は
下記の式（１）による走性指数を基に、前記標準物質に対する前記品質解析用線虫群の誘引行動又は忌避行動を検出する
ことを特徴とする請求項２に記載の癌検査システム。
ＣＩ＝（Ｎ１−Ｎ２）／（Ｎ１＋Ｎ２）・・・（１)
ここで、ＣＩは走性指数であり、Ｎ１は前記標準物質に対して誘引行動を示した前記品質解析用線虫群における線虫の数であり、Ｎ２は前記標準物質に対して忌避行動を示した前記品質解析用線虫群における線虫の数である。
【請求項４】
前記品質解析部は、
品質解析装置は、撮像部を有しており、
前記撮像部は、
前記品質解析用線虫群の撮像を行い
前記品質分析部は、
前記撮像部による撮像結果を基に、前記標準物質に対する前記品質解析用線虫群の走性行動を解析する
ことを特徴とする請求項１に記載の癌検査システム。
【請求項５】
前記標準物質は、イソアミルアルコールである
ことを特徴とする請求項１に記載の癌検査システム
【請求項６】
前記検査分析部が、被検者に対して前記癌検査の結果を示すともに、前記品質分析部が、前記被験者に対して、前記品質解析用線虫群の品質に関する情報を示す
ことを特徴とする請求項１に記載の癌検査システム。
【請求項７】
同一の培養単位から複数の解析単位に分注された線虫群が、癌検査のための検査走性解析用の線虫群である検査解析用線虫群と、線虫の品質保証解析のための品質走性解析用の線虫群である品質解析用線虫群と、に分けられており、
被検者から提供された検体に対する前記線虫の走性行動を基に癌検査を行う癌検査システムが、
前記線虫がどのような走性行動を行うかが分かっている標準物質に対する前記品質解析用線虫群の走性行動に関する情報を出力し、
前記品質解析部ら出力される情報を基に、前記線虫の品質に関する情報を出力する
とともに、
前記検体に対する前記検査解析用線虫群の走性行動に関する情報を出力し、
前記検査解析部ら出力される情報を基に、前記線虫の前記検体に対する誘引行動及び忌避行動に関する走性結果情報を生成し、前記走性結果情報を基に、前記検体を提供した被験者における前記癌検査の結果を出力する
を有することを特徴とする癌検査評価方法。
【請求項８】
前記癌検査システムが、
前記標準物質に対する前記品質解析用線虫群の誘引行動又は忌避行動を基に、前記品質解析用線虫群の品質に関する情報を出力する
ことを特徴とする請求項７に記載の癌検査評価方法。
【請求項９】
前記癌検査システムが
下記の式（２）による走性指数を基に、前記標準物質に対する前記品質解析用線虫群の誘引行動又は忌避行動を検出する
ことを特徴とする請求項８に記載の癌検査評価方法。
ＣＩ＝（Ｎ１−Ｎ２）／（Ｎ１＋Ｎ２）・・・（２)
ここで、ＣＩは走性指数であり、Ｎ１は前記標準物質に対して誘引行動を示した前記品質解析用線虫群における線虫の数であり、Ｎ２は前記標準物質に対して忌避行動を示した前記品質解析用線虫群における線虫の数である。
【請求項１０】
前記癌検査システムが、
撮像部によって前記品質解析用線虫群の撮像を行い
前記撮像による撮像結果を基に、前記標準物質に対する前記品質解析用線虫群の走性行動を解析する
ことを特徴とする請求項７に記載の癌検査評価方法。
【請求項１１】
前記標準物質は、イソアミルアルコールである
ことを特徴とする請求項７に記載の癌検査評価方法。
【請求項１２】
前記癌検査システムが、被検者に対して前記癌検査の結果を示すともに、前記品質解析用線虫群の品質に関する情報を示す
ことを特徴とする請求項７に記載の癌検査評価方法。
【発明の詳細な説明】
【技術分野】
【０００１】
本発明は、線虫を用いた癌検査を行う癌検査システム及び癌検査評価方法の技術に関する。
【背景技術】
【０００２】
線虫が癌患者の尿に対して誘引行動をし、健常者の尿に対して忌避行動を示すことを利用した癌検査が提案されている。
特許文献１には、線虫の嗅覚を用いた癌検出方法が記載されている。
【先行技術文献】
【特許文献】
【０００３】
【特許文献１】国際公開第２０１５／０８８０３９号
【発明の概要】
【発明が解決しようとする課題】
【０００４】
特許文献１に記載の技術のような線虫を使用した癌検査を行う際において、品質保証が重要になってくることが考えられる。すなわち、線虫という生物を使用するため、線虫個体の特性等が検査結果に関係してくることから、検査に使用された線虫が本当に検査にふさわしい個体（例えば、線虫の活動性等）であったのか否かを確かめることが重要になってくる。
要するに、線虫を用いた癌検査には、線虫の培養条件や、走性条件だけを管理しても、使用している線虫が検査に適していなければ、検査結果の信頼性が低くなってしまう。【０００５】
このような背景に鑑みて本発明がなされたのであり、本発明は、癌検査に用いられた線虫の品質を、簡易に確認することを課題とする。
【課題を解決するための手段】
【０００６】
前記課題を解決するため、本発明は、同一の培養単位から複数の解析単位に分注された線虫群が、癌検査のための検査走性解析用の線虫群である検査解析用線虫群と、線虫の品質保証解析のための品質走性解析用の線虫群である品質解析用線虫群と、に分けられており、前記線虫がどのような走性行動を行うかが分かっている標準物質に対する前記品質解析用線虫群の走性行動に関する情報を出力する品質解析部と、前記品質解析部ら出力される情報を基に、前記線虫の品質に関する情報を出力する品質分析部と、被検者から提供された検体に対する前記検査解析用線虫群の走性行動に関する情報を出力する検査解析部と、前記検査解析部ら出力される情報を基に、前記線虫の前記検体に対する誘引行動及び忌避行動に関する走性結果情報を生成し、前記走性結果情報を基に、前記検体を提供した被験者における前記癌検査の結果を出力する検査分析部と、を有することを特徴とする。
その他の解決手段については、実施形態中において適宜記載する。
【発明の効果】
【０００７】
本発明によれば、癌検査に用いられた線虫の品質を、簡易に確認することができる。
【図面の簡単な説明】
【０００８】
【図１】本実施形態に係る癌検査システムの構成例を示す図である。
【図２】本実施形態に係る品質解析装置の構成例を示す機能ブロック図である。
【図３】本実施形態に係る品質分析装置の構成例を示す機能ブロック図である。
【図４】本実施形態に係る検査解析装置の構成例を示す機能ブロック図である。
【図５】本実施形態に係る検査分析装置の構成例を示す機能ブロック図である。
【図６】本実施形態に係る品質解析装置の具体的な構成の一例を示す図（その１）である。
【図７】本実施形態に係る品質解析装置の具体的な構成の一例を示す図（その２）である。
【図８】本実施形態に係る検査解析データの例を示す図である。
【図９】本実施形態に係る培養条件データの構成例を示す図である。
【図１０】本実施形態に係る走性条件データの構成例を示す図である。
【図１１】本実施形態に係る品質解析データの構成例を示す図である。
【図１２】本実施形態に係る線虫データの構成例を示す図である。
【図１３】フェレ径を示す図である。
【図１４】本実施形態に係る走性解析処理の手順を示すフローチャートである。
【図１５】本実施形態に係る線虫の走性判別について説明する図である。
【図１６】本実施形態に係る検査結果通知書の例を示す図である。
【発明を実施するための形態】
【０００９】
次に、本発明を実施するための形態（「実施形態」という）について、適宜図面を参照しながら詳細に説明する。なお、各図面において、同様の構成要素については、同一の符号を付して説明を省略する。また、各図面において、共通の要素には共通の符号を付して説明を適宜省略する。
【００１０】
［癌検査システム］
図１は、本実施形態に係る癌検査システムの構成例を示す図である。
本実施形態に係る癌検査システムＺでは、被検者の尿（被験者から提供された検体）に対する線虫の走性解析を行い、線虫の誘引・忌避行動（走性行動）を基に癌に対する陽性・陰性を検査する。また、イソアミルアルコールのように尿に代わる標準物質を用いて線虫の走性解析を行い、線虫の誘引・忌避行動を基に癌検査に用いられた線虫が検査に適したものであるか否かを判定する品質保証のための解析を行う。以下、被検者の尿を用い、被検者の癌に対する陽性・陰性を検査するための走性解析を検査走性解析と称し、イソアミルアルコール等の尿の代替物（標準物質）を用いて、癌検査に用いられた線虫が検査に適したものであるか否かを判定するための走性解析を品質走性解析と称する。
【００１１】
標準物質は、線虫が誘引行動を行うか、忌避行動を行うかが分かっている（すなわち、線虫がどのような走性行動を行うかが分かっている）物質であり、本実施形態では、線虫が誘引行動を行うことが分かっているイソアミルアルコールを用いる。なお、本実施形態では、品質走性解析における標準物質としてイソアミルアルコールが用いられているが、これに限らず、線虫が誘引行動を行うか、忌避行動を行うかが分かっている薬品であればよい。
【００１２】
本実施形態における品質走性解析では、イソアミルアルコールに対する線虫の走性特性を分析することで、癌検査に用いられた線虫が適正なものであるか否かを判定する。線虫は、イソアミルアルコールに対して、誘引行動を行うことが知られているので、イソアミルアルコールに対する線虫の誘引行動を解析することで、線虫の品質を確認することができる。
なお、本実施形態では、「線虫」とは特に断りのない限り「線虫群」を指すものとする。
【００１３】
癌検査システムＺは、品質解析装置（品質解析部）１、品質分析装置（品質分析部）２、検査解析装置（検査解析部）３、検査分析装置（検査分析部）４を有する。
まず、１つの線虫培養シャーレ５ａ（培養単位）から、５つのシャーレ５ｂ〜５ｆ（複数の解析単位）に線虫が分注される。５つのシャーレ５ｂ〜５ｆに分注された線虫のうち、４つのシャーレ５ｂ〜５ｅ（線虫）が検査走性解析用（検査解析用線虫群）として検査解析装置３に導入される。また、１つのシャーレ５ｆ（線虫）が品質走性解析用と（品質解析用線虫群）して品質解析装置１に導入される。なお、１つの線虫培養シャーレ５ａから、５つのシャーレ５ｂ〜５ｆに線虫が分注され、５つのシャーレ５ｂ〜５ｆのうち、４つのシャーレ５ｂ〜５ｅが検査走性解析用となっているが、これに限らない。なお、検査走性解析用のシャーレ５ｂ〜５ｅを、検査用シャーレ５１と適宜称する。つまり、同一条件で培養された線虫を、検査走性解析用と、品質走性解析用に分けることで、癌検査に用いられた線虫の品質（生きのよさ等といった活動性）を確認することができる。
【００１４】
品質解析装置１は、品質走性解析を行い、得られた結果を品質分析装置２へ送信する。
品質分析装置２は、品質解析装置１から取得した情報を基に、検査に用いられた線虫の品質に関する情報を分析する。
検査解析装置３は、検査走性解析を行い、得られた結果を検査分析装置４に送信する。
検査分析装置４は、検査解析装置３から取得した情報を基に、誘引行動及び忌避行動に関する情報を分析し、癌に対する陽性・陰性を判定する。
品質分析装置２や、検査分析装置４は、検査の結果が記載され、被検者に通知される検査結果通知書９００を出力する。
【００１５】
［品質解析装置］
図２は、本実施形態に係る品質解析装置の構成例を示す機能ブロック図である。
品質解析装置１は、撮像部１０１、載置部１０２及び照明部１０３を有している。
載置部１０２は、品質走性解析が行われる線虫が分注されているシャーレ５ｆ（図１参照）が検査者によって載置される。
照明部１０３は、載置部１０２に載置されたシャーレ５ｆを下方から照らす。
撮像部１０１は、載置部１０２に載置され、照明部１０３によって下方から照明をあてられたシャーレ５ｆ（線虫）を撮影（撮像）する。なお、本実施形態では、撮像部１０１はカメラによって静止画を撮影することを想定しているが、ビデオカメラとして動画を撮影するようにしてもよい。なお、撮像部１０１は、オートフォーカスによって撮影を行うことが望ましい。
なお、品質解析装置１の具体的な構成例については後記する。
【００１６】
［品質分析装置］
図３は、本実施形態に係る品質分析装置の構成例を示す機能ブロック図である。
品質分析装置２は、例えば、ＰＣ（Personal Computer)等であり、メモリ２０１、記憶装置２０２、ＣＰＵ(Central Processing Unit)２０３、通信装置２０４、入力装置２０５、出力装置２０６を有している。
通信装置２０４は、品質解析装置１等との間でデータの送受信を行う。
入力装置２０５は、キーボードや、マウス等である。
出力装置２０６は、本実施形態ではプリンタ等であり、検査結果通知書９００（図１）を印刷する。
【００１７】
記憶装置２０２は、ＨＤ（Hard Disk)や、ＳＳＤ（Solid State Drive）等であり、培養条件データ２２、品質解析データ２４、線虫データ２５等を格納している。培養条件データ２２、品質解析データ（線虫の品質に関する情報）２４、線虫データ２５については後記する。
【００１８】
また、メモリ２０１には、記憶装置２０２に格納されているプログラムがロードされ、ロードされたプログラムがＣＰＵ２０３によって実行されることで、計数部２１１、算出部２１２、判定部２１３、出力処理部２１４が具現化している。
計数部２１１は、標準物質（イソアミルアルコール）に対して誘引行動を示している線虫の数や、標準物質に対して忌避行動を示している線虫の数や、中性の行動を示している線虫の数を計数する。ここで、中性の行動とは、誘引行動も、忌避行動も示していない線虫の行動である。
算出部２１２は、計数部２１１による計数結果を基に、走性指数ＣＩを算出する。走性指数については後記する。
判定部２１３は、算出部２１２が算出した走性指数ＣＩを基に、癌検査に用いられている線虫が適切な線虫であるか否かの品質判定を行う。
出力処理部２１４は、判定部２１３による判定結果を検査結果通知書９００に印刷する。
なお、計数部２１１、算出部２１２、判定部２１３、出力処理部２１４は、後記する検査分析装置４における計数部４１１、算出部４１２、判定部４１３、出力処理部４１４と同様の処理を行う。品質分析装置２における計数部２１１、算出部２１２、判定部２１３、出力処理部２１４と、検査分析装置４における計数部４１１、算出部４１２、判定部４１３、出力処理部４１４とを、まとめて、計数部１１、算出部１２、判定部１３、出力処理部１４とて適宜称する。
【００１９】
［検査解析装置］
図４は、本実施形態に係る検査解析装置の構成例を示す機能ブロック図である。
検査解析装置３は、観察部３０１、保管部３０２及び搬送部３０３を有している。
観察部３０１は、撮像部３１１、載置部３１２及び照明部３１３を有している。
載置部３１２は、検査走性解析が行われる線虫が分注されている検査用シャーレ５１（図１参照）が検査者によって載置される。
照明部３１３は、載置部３１２に載置された検査用シャーレ５１を下方から照らす。
撮像部３１１は、載置部３１２に載置され、照明部３１３によって下方から照明をあてられた検査用シャーレ５１（線虫）を撮影する。これによって、線虫の走性行動が撮影される。なお、本実施形態では、撮像部３１１はカメラによって静止画を撮影することを想定しているが、ビデオカメラとして動画を撮影するようにしてもよい。なお、撮像部３１１は、オートフォーカスによって撮影を行うことが望ましい。
【００２０】
保管部３０２は、撮影が終わった検査用シャーレ５１を、次の撮影のために保管する。
搬送部３０３は、観察部３０１から保管部３０２へ検査用シャーレ５１を搬送したり、保管部３０２から観察部３０１へ検査用シャーレ５１を搬送したりする。
このように、検査用シャーレ５１は、１回撮影が終わると保管部３０２に移動され、撮影後、所定時間が経過すると、保管部３０２から載置部３１２に検査用シャーレ５１が移動されて、撮像部３１１によって撮影が行われる。そして、撮影が終わると、再び検査用シャーレ５１は、搬送部３０３によって保管部３０２へ運ばれる。このようにして、線虫の走性行動が、ある時間毎に撮影される。
また、検査用シャーレ５１は、載置部３１２に載置後、すぐに保管部３０２に一定時間保管し（３０分程度）、化学走性終了後、観察部３０１に移動して撮像部３１１が静止画を撮影し、走性指数ＣＩを算出するようにしてもよい。
【００２１】
なお、検査解析装置３は、図４に示す構成の他にも、所定回数の撮影が完了し廃棄される検査用シャーレ５１を保管する廃棄部（不図示）を有していてもよい。ちなみに、廃棄部への検査用シャーレ５１の搬送は搬送部３０３が行う。
【００２２】
［検査分析装置］
図５は、本実施形態に係る検査分析装置の構成例を示す機能ブロック図である。
検査分析装置４２は、例えば、ＰＣ等であり、メモリ４０１、記憶装置４０２、ＣＰＵ４０３、通信装置４０４、入力装置４０５、出力装置４０６を有している。
通信装置４０４は、検査解析装置３等との間でデータの送受信を行う。
入力装置４０５は、キーボードや、マウス等である。
出力装置４０６は、本実施形態ではプリンタ等であり、検査結果通知書９００（図１参照）を印刷する。
なお、品質解析装置２の出力装置２０６と、検査分析装置４の出力装置４０６とを、１つの装置としてもよい。
【００２３】
記憶装置４０２は、ＨＤや、ＳＳＤ等であり、検査解析データ２１、培養条件データ２２、走性条件データ２３を格納している。検査解析データ２１、培養条件データ２２、走性条件データ２３については後記する。なお、培養条件データ２２は、品質分析装置２の記憶装置２０２に格納されている培養条件データ２２と同一の内容のデータを保持している。
【００２４】
また、メモリ４０１には、記憶装置４０２に格納されているプログラムがロードされ、ロードされたプログラムがＣＰＵ４０３によって実行されることで、計数部４１１、算出部４１２、判定部４１３、出力処理部４１４が具現化している。
計数部４１１は、試料（被験者の尿）に対して誘引行動を示している線虫の数や、試料に対して忌避行動を示している線虫の数や、中性の行動を示している線虫の数を計数する。ここで、中性の行動とは、前記したように、誘引行動も、忌避行動も示していない線虫の行動である。
算出部４１２は、計数部４１１による計数結果を基に、走性指数ＣＩ及び走性指数ＣＩの平均値（平均走性指数）を算出する。走性指数ＣＩについては後記する。
判定部４１３は、算出部４１２が算出した走性指数ＣＩの平均値（平均走性指数）を基に、癌検査の結果としての陰性・陽性の判定を行う。平均走性指数については後記する。
出力処理部４１４は、判定部４１２による判定結果を検査結果通知書９００に印刷する。
なお、前記したように品質分析装置２における計数部２１１、算出部２１２、判定部２１３、出力処理部２１４と、検査分析装置４における計数部４１１、算出部４１２、判定部４１３、出力処理部４１４とを、まとめて、計数部１１、算出部１２、判定部１３、出力処理部１４と適宜称する。
【００２５】
なお、品質分析装置１と、検査分析装置４３とが、１つの装置にまとめられてもよい。
【００２６】
［品質解析装置の具体的な構成］
図６及び図７は、本実施形態に係る品質解析装置の具体的な構成の一例を示す図である。なお、図６は線虫をセットする前の状態を示しており、図７は線虫をセットした後の状態を示している。なお、図６及び図７に示す品質解析装置１は、一例であり、この構成に限らない。
まず、図６に示すように板状の載置部１０２の上に品質走性解析用の線虫を分注したシャーレ５ｆが載置される。そして、載置部１０２が、検査者によって押し込まれると、載置部１０２はスライド部１１１に沿ってスライドし、図７に示すように、載置部１０２がガラス部１１２（図６）上にセットされる。なお、載置部１０２において、シャーレ５ｆがセットされる部分の下は透明な部材で構成されている。
【００２７】
図６に示すように、ガラス部１１２は、透明な部材で構成されている。ガラス部１１２の下には照明部１０３（図２参照）が設置されている。図７に示すように、載置部１０２がガラス部１１２の上にセットされると、照明部１０３が点灯し、シャーレ５ｆを下方から照らす。なお、照明部１０３の点灯は、検査者が品質解析装置１に備えられている点灯スイッチを操作することで行われてもよい。あるいは、例えば、スライド部１１１の終端にスイッチ又はセンサ等が備えられており、載置部１０２がガラス部１１２上にセットされると、これに応答して照明部１０３が点灯するようにしてもよい。
【００２８】
図６に示すように、載置部１０２は基部１１３と接合しているが、基部１１３には円環状の第１支持部１１４が接合している。そして、第１支持部１１４の円環部に挿入される形で棒状の第２支持部１１５が支持されている。挟持部１１６は、第２支持部１１５において、第１支持部１１４が備えられている端部とは別の端部周辺に備えられる。挟持部１１６は、ねじ１２１による締付力によって第２支持部１１５に設置されている。挟持部１１６には、Ｌ字状の第３支持部１１７が、例えばねじ（不図示）等によって備えられおり、この第３支持部１１７における、第２支持部１１５との接合箇所とは別の端部に撮像部１０１が備えられている。
【００２９】
撮像部１０１は、ガラス部１１２に向けて備えられており、載置部１０２がガラス部１１２の上にセットされ、照明部１０３が点灯すると、シャーレ５ｆ（線虫）を撮影する。撮影は、品質解析装置１に備えられているスイッチを検査者が操作することで行われてもよいし、照明部１０３が点灯すると自動的に撮影が行われてもよい。
なお、挟持部１１６におけるねじ１２１を緩めることで、挟持部１１６は第２支持部１１５に沿って移動可能となる。このようにすることで、撮像部１０１の高さを調節することができる。
【００３０】
なお、検査者は、図６の状態の載置部１０２にシャーレ５ｆを載置し、図７に示すようにガラス部１１２上に載置部１０２をセットした後、撮像部１０１でシャーレ５ｆ（線虫）の撮影を行う。その後、検査者は、載置部１０２を引き出すことで、図６の状態に戻した後、シャーレ５ｆを取り出す。そして、検査者は、別のシャーレ５ｆを載置部１０２に載置し、同様の手順で撮影を行う。また、検査者は、撮影後、所定時間が経過したシャーレ５ｆを再度載置部１０２に載置し、同様の手順で撮影を行う。これを繰り返すことで、ある時間毎に撮影された線虫の画像を得ることができる。
【００３１】
［データ構成］
次に、図８〜図１１を参照して、記憶装置２０２，４０２に格納されている各種データの説明を行う。図８〜図１１において、適宜、図１を参照する。
（検査解析データ）
図８は、本実施形態に係る検査解析データの例を示す図である。
検査解析データ２１は、ロット番号、分注番号、検査走性結果、培養条件ＩＤ（Identification）、走性条件ＩＤ、品質保証ＩＤ及び検査結果の各欄を有する。
ロット番号は、線虫が培養されている線虫培養シャーレ５ａに対して一意に付与される識別番号である。
分注番号は、ロット番号を有する線虫培養シャーレ５ａから分注されたシャーレ５ｂ〜５ｆに対して一意に付与される識別番号である。図８の例では、ロット番号「Ａ１」のシャーレから、分注番号「Ａ１−０１」、「Ａ１−０２」、「Ａ１−０３」、「Ａ１−０４」、「Ａ１−０５」のシャーレ５ｂ〜５ｆが分注され、そのうち、分注番号「Ａ１−０１」、「Ａ１−０２」、「Ａ１−０３」、「Ａ１−０４」が検査解析データ２１の分注番号に格納されている。これは、分注番号「Ａ１−０１」、「Ａ１−０２」、「Ａ１−０３」、「Ａ１−０４」で示されるシャーレ５ｂ〜５ｅが検査走性解析用に使用されていることを示している。分注番号「Ａ１−０５」で示されるシャーレ５ｆは品質走性解析に使用されているため、図８に示す検査解析データ２１には格納されていない。
【００３２】
検査走性結果は、検査走性解析の結果を示す情報であり、線虫総数、正の走性、負の走性、中性、走性指数の各欄を有している。
線虫総数は、分注番号で示されるシャーレ５ｂ〜５ｅ（検査用シャーレ５１）のそれぞれに分注されている線虫の総数が格納される。
正の走性は、被検者の尿に対して誘引行動を示した線虫の数が格納される。
負の走性は、被検者の尿に対して忌避行動を示した線虫の数が格納される。
中性は、被検者の尿に対して誘引行動も忌避行動も示さなかった線虫の数が格納される。
走性指数は、後記する手法によって算出された線虫の走性に関する指数が格納される。
また、その平均の走性指数も格納される。つまり、平均走性指数は、ロット（線虫培養シャーレ５ａ；培養単位）毎における走性指数の平均値である。
なお、正の走性、負の走性、中性、走性指数については後記して説明する。
【００３３】
培養条件ＩＤは、後記する培養条件データ２２における情報とリンクするためのＩＤである。すなわち、培養条件ＩＤによって検査解析データ２１は、後記する培養条件データ２２とリンクしている。
走性条件ＩＤは、後記する走性条件データ２３における情報とリンクするためのＩＤである。すなわち、走性条件ＩＤによって検査解析データ２１は、後記する走性条件データ２３とリンクしている。
品質保証ＩＤは、後記する品質解析データ２４における情報とリンクするためのＩＤである。すなわち、品質保証ＩＤによって検査解析データ２１は、後記する品質解析データ２４とリンクしている。
品質解析結果は、品質走性解析による検査結果であり、品質保証ＩＤをキーとして、図１１で後記する品質走性解析における走性指数ＣＩと、合格ラインとを基に判定されるものである。検査結果において、「○」は、品質保証条件を満足しているので、平均走性指数が検査結果として使用できることを示し、「×」は、品質保証条件を満足していないので、平均走性指数が検査結果として使用できないことを示している。なお、品質解析結果は、検査分析装置４が品質分析装置２から、図示しないネットワークを介して、図１１で後記する品質解析データ２４を取得することで格納される情報である。
【００３４】
なお、検査解析データ２１において、ロット番号、分注番号、培養条件ＩＤ、走性条件ＩＤ及び品質保証ＩＤの各情報は、入力装置４０５（図５参照）を介して、管理者や、検査者によって入力される情報である。また、検査解析データ２１において、検査走性結果及び検査結果の情報は、後記する走性解析処理の結果、入力される情報である。
【００３５】
（培養条件データ）
図９は、本実施形態に係る培養条件データの構成例を示す図である。
培養条件データ２２は、培養条件ＩＤ、培養温度、培地組成、餌、培養日数、遺伝子解析情報及び備考の各欄を有している。
培養条件ＩＤは、培養条件に対する識別情報である。なお、図８で前記したように検査解析データ２１と、培養条件データ２２とは、培養条件ＩＤによって互いにリンクしている。
培養温度は、線虫が培養されている環境における温度（℃）である。
培養組成は、線虫が培養される培地の組成を示す情報である。ちなみに、培養条件「１−２」、「１−３」における培地組成は、培養条件「１−１」と同じものであるとして、記載を省略してある。
餌は、線虫に与えられる餌に関する情報である。
培養日数は、線虫が培養された日数である。
遺伝子解析情報は、遺伝子解析を行った日付が上段に格納され、遺伝子解析の結果得られた線虫の配列データが下段に格納される。
備考には、管理者等によるコメント等が格納される。
なお、培養条件データ２２の各情報は、入力装置２０５（図３参照）や、入力装置４０５（図５参照）を介して、管理者や、検査者によって入力される情報である。
【００３６】
（走性条件データ）
図１０は、本実施形態に係る走性条件データの構成例を示す図である。
走性条件データ２３は、走性条件ＩＤ、培地組成、走性温度、走性時間、照明条件及び備考の各欄を有している。
走性条件ＩＤは、走性条件に対する識別情報である。なお、図８で前記したように検査解析データ２１と、走性条件データ２３とは、走性条件ＩＤによって互いにリンクしている。
培地組成は、検査用シャーレ５１おける培地の組成を示す情報である。ちなみに、走性条件「２−２」、「２−３」における培地組成は、走性条件「２−１」と同じものであるとして、記載を省略してある。
走性温度は、検査走性解析において線虫を走性させたときにおける温度（℃）である。
走性時間は、検査走性解析において線虫を走性させた時間（分）である。
照明条件は、照明部１０３（図２）の明るさであり、線虫を走性させている時の明るさである走性時（図１０の例では消灯している）と、撮影を行った時の明るさ（図１０の例では点灯している）である撮影時とが格納されている。
備考には、管理者等によるコメント等が格納される。
なお、走性条件データ２３の各情報は、入力装置４０５（図５参照）を介して、管理者や、検査者によって入力される情報である。
【００３７】
（品質解析データ）
図１１は、本実施形態に係る品質解析データの構成例を示す図である。
品質解析データ２４は、品質保証ＩＤ、走性温度、走性時間、照明条件、線虫グループＩＤ、線虫総数、正の走性、負の走性、中性、走性指数ＣＩ、標準物質及び合格ラインの各欄を有している。
品質保証ＩＤは、品質走性解析結果に対する識別情報である。なお、図８で前記したように検査解析データ２１と、品質解析データ２４とは、品質保証ＩＤによって互いにリンクしている。
【００３８】
走性温度は、品質走性解析において線虫を走性させたときの温度（℃）である。
走性時間は、品質走性解析において線虫を走性させた時間（分）である。
照明条件は、品質走性解析における照明部１０３（図２）の明るさである。なお、図１１の例では、常に照明部１０３が点灯されている状態であるが、図１０と同様に線虫を走性させている時は照明部１０３を消灯しており、撮影時に照明部１０３を点灯させるようにしてもよい。
【００３９】
線虫グループＩＤは、後記する線虫データ２５における情報とリンクするためのＩＤである。すなわち、線虫グループＩＤによって品質解析データ２４は線虫データ２５とリンクしている。
【００４０】
線虫総数は、品質走性解析に用いられた（シャーレ５ｆに分注されている）線虫の総数である。
正の走性は、イソアミルアルコールに対して誘引行動を示した線虫の数である。
負の走性は、イソアミルアルコールに対して忌避行動を示した線虫の数である。
中性は、イソアミルアルコールに対して誘引行動も忌避行動も示さなかった線虫の数が格納される。
走性指数ＣＩは、後記する所定の手法によって算出された線虫の走性に関する指数が格納される。
なお、正の走性、負の走性、中性、走性指数については後記して説明する。
標準物質は、検査走性解析における尿の代わりに用いられる物質であり、ここではイソアミルアルコールが用いられている。
合格ラインは、品質走性解析の結果に対する合格ラインであり、本実施形態では、標準物質としてイソアミルアルコールを用いた品質走性解析の結果、走性指数ＣＩが「＋０．７」より大きければ合格としている。
図１１の例では、品質保証ＩＤ「３−１」、「３−２」が合格であり、品質保証ＩＤ「３−３」は不合格である。
【００４１】
ちなみに、品質保証走性時における走性条件は、品質保証ＩＤを介してリンクされている走性条件データ２３の情報となる。例えば、品質保証ＩＤ「３−１」における品質保証走性時の走性条件は、以下のようになる。品質保証ＩＤ「３−１」のリンク元は、検査解析データ２１におけるロット番号「Ａ１」である。そして、ロット番号「Ａ１」における走性条件は、走性条件データ２３において走性条件ＩＤ「２−１」に格納されている条件である。従って、品質保証ＩＤ「３−１」における品質保証走性時の走性条件は、走性条件データ２３において走性条件ＩＤ「２−１」に格納されている条件である。
【００４２】
なお、品質解析データ２４では、品質保証ＩＤ、走性温度、走性時間、照明条件、線虫グループＩＤ、標準物質、合格ラインの各情報が、入力装置２０５（図３参照）を介して、管理者や、検査者によって入力される。また、線虫総数、正の走性、負の走性、中性、走性指数ＣＩの情報は、後記する走性解析処理によって格納される情報である。
【００４３】
ここで、図１０と、図１１とを比較すると明らかなように、品質走性解析と、検査走性解析における走性温度、走性時間は同じである。すなわち、品質走性解析と、検査走性解析では同じ走性条件が用いられている。
なお、品質解析データ２４において、培地組成の欄が設けられてもよい。そして、品質走性解析と、検査走性解析における培地組成が同じであってもよい。
【００４４】
（線虫データ）
図１２は、本実施形態に係る線虫データの構成例を示す図である。
線虫データ２５は、線虫個体における情報を管理するためのデータであり、線虫グループＩＤ、個体ＩＤ、時間、フェレ径、座標、移動距離、速度、平均フェレ径、平均移動距離及び平均速度の各欄を有している。
線虫グループＩＤは、品質走性解析に用いられた線虫のグループに対する識別情報である。なお、図１１で前記したように品質解析データ２４と、線虫データ２５とは、線虫グループＩＤによって互いにリンクしている。
【００４５】
個体ＩＤは、線虫グループＩＤで識別される線虫のグループにおける線虫の個体毎に付与されるＩＤである。
時間は、品質走性解析において走性を行った経過時間（分後）である。
フェレ径（ｍｍ）は、図１３に示す大きさである。フェレ径を用いているのは、随時動いている線虫７０１の体長（まっすぐに伸ばした長さ）を正確に測定するのが難しいためである。フェレ径は、図１３に示すような大きさであるので、線虫の伸び具合によって大きさが変化する。
【００４６】
座標は、該当する経過時間における線虫の位置である。ここでの、ｘ座標、ｙ座標は、図１５に示されるようにシャーレ５ｆの中心を原点とし、イソアミルアルコールが滴下された箇所８０１（詳細は後記する）の方向が正のｘ座標と定義され、定義されたｘ座標に対してシャーレ５ｆの面内で垂直にｙ座標が定義される。
移動距離は、該当する経過時間における線虫の移動距離（ｍｍ）である。
速度は、該当する経過時間における線虫の速度（ｍｍ／ｓ）である。速度は、移動距離／経過時間で算出される。
【００４７】
平均フェレ径は、線虫グループＩＤで示される線虫グループにおける線虫のフェレ径の平均（ｍｍ）である。
平均移動距離とは、線虫グループＩＤで示される線虫グループにおける線虫の移動距離の平均（ｍｍ）である。
平均移動速度とは、線虫グループＩＤで示される線虫グループにおける線虫の移動速度の平均（ｍｍ／ｓ）である。
【００４８】
なお、線虫データ２５において、線虫グループＩＤ、個体ＩＤは、入力装置２０５（図３参照）を介して、管理者や、検査者によって入力される情報である。その他の情報は、計数部２１１（図３参照）等によって、算出され、入力される情報である。
【００４９】
［フローチャート］
図１４は、本実施形態に係る走性解析処理の手順を示すフローチャートである。この走性解析処理は、検査走性解析、品質走性解析の両方に共通する処理である。適宜、図２〜図５を参照する。ここでは、品質走性解析の場合について説明する。
まず、計数部１１は、泳動後の線虫の位置（最終位置座標）を識別する（Ｓ１０１）。このとき、計数部１１は、線虫の総数を計数し、図８に示す検査解析データ２１や、図１１に示す品質解析データ２４の線虫総数の欄に計数した結果を入力する。
そして、計数部１１は、最終位置座標ｘ１が＋αより大きい（ｘ１＞＋α）線虫を計数する（Ｓ１０２）。ここで計数された線虫の数を、正の走性（すなわち、標準物質に対する誘引行動）を示す線虫の数Ｎ１とする。このとき、計数部１１は、線虫の総数を計数し、図８に示す検査解析データ２１や、図１１に示す品質解析データ２４の正の走性の欄に計数した結果を入力する。
【００５０】
次に、計数部１１は、最終位置座標ｘ１が−α未満（ｘ１＜−α）である線虫を計数する（Ｓ１０３）。ここで計数された線虫の数を、負の走性（すなわち、標準物質に対する忌避行動）を示す線虫の数Ｎ１とする。このとき、計数部１１は、線虫の総数を計数し、図８に示す検査解析データ２１や、図１１に示す品質解析データ２４の負の走性の欄に計数した結果を入力する。
続いて、計数部１１は、最終位置座標ｘ１が−α以上、＋α以下（−α≦ｘ１≦＋α）である線虫を計数する（Ｓ１０４）。ここで計数された線虫の数を、中性の走性を示す線虫の数Ｎ１とする。なお、このとき、計数部１１は、線虫の総数を計数し、図８に示す検査解析データ２１や、図１１に示す品質解析データ２４の中性の欄に計数した結果を入力する。
【００５１】
ここで、図１５を参照して、ステップＳ１０２〜Ｓ１０４について説明する。
図１５は、本実施形態に係る線虫の走性判別について説明する図である。
なお、図１５において、品質走性解析時について説明するものとし、符号５ｆはシャーレである。検査走性解析時でも同様の手順で線虫の走性判別が行われる。
また、符号８０１は、イソアミルアルコール＋アジ化ナトリウムを滴下した箇所である。そして、符号８０２は、アジ化ナトリウムを滴下した箇所である。アジ化ナトリウムは、線虫に対する麻酔として使用される。なお、検査走性解析時であれば符号８０１は、被検者の尿＋アジ化ナトリウムを滴下した箇所となる。
前記したように、シャーレ５ｆの中心を原点とし、イソアミルアルコールが滴下された箇所８０１の方向が正のｘ座標と定義され、定義されたｘ座標に対してシャーレ５ｆの面内で垂直にｙ座標が定義される。
【００５２】
線虫は、シャーレ５ｆの中心８０３に滴下される。
線虫はイソアミルアルコールに対して誘引行動を示すため、線虫は図１５のｘ座標に対して正の方向へ移動する。
なお、検査走性解析時では、尿が癌患者のものであれば、線虫は尿に対して誘因行動をする。すなわち、尿が癌患者のものであれば、線虫は図１５のｘ座標に対して正の方向へ移動する。逆に、尿が健常者のものであれば、線虫は尿に対して忌避行動をする。すなわち、尿が健常者のものであれば、線虫は図１５のｘ座標に対して負の方向へ移動する。
【００５３】
線８１１は、シャーレ５ｆの中心８０３からｘ座標の＋方向にαの距離で、かつ、ｙ軸に平行な線である。同様に、線８１２は、シャーレ５ｆの中心８０３からｘ座標の−方向にαの距離で、かつ、ｙ軸に平行な線である。
すなわち、走性解析終了後における線虫の最終位置座標ｘ１がｘ１＞＋αである領域８２１における線虫の数が、正の走性を示す線虫の数Ｎ１である。同様に、最終位置座標ｘ１がｘ１＜−αである領域８２２における線虫の数が、負の走性を示す線虫の数Ｎ２である。また、最終位置座標ｘ１が−α≦ｘ１≦＋αである領域８２３における線虫の数が、中性の走性を示す線虫の数Ｎ３である。
【００５４】
線虫の計数は、例えば、以下の手順で行われる。以下、品質走性解析の場合（シャーレ５ｆが用いられている場合）について説明する。なお、検査走性解析の場合も同様の処理が行われる。
（Ａ１）計数部１１は、品質解析装置１における撮像部１０１が撮影した画像（撮像結果）のコントラストを強調する。
（Ａ２）計数部１１は、画像からシャーレ５ｆの輪郭線や、培地を消去する。この処理は、検査者が、画像のうちのシャーレ５ｆや、培地に相当する箇所をマウス等で選択した後、計数部１１が選択された箇所の画像を消去してもよい。あるいは、シャーレ５ｆや、培地の場所は、どの画像でも同じであるので、画像中において予め消去する箇所が設定され、計数部１１は設定されている箇所を消去してもよい。計数部１１は、消去された箇所及び元々の背景を黒くする。なお、培地に色（黒に近い色が望ましい）をつけるようにしてもよい。このようにすると、（Ａ２）の処理を行わなくても線虫を目立たせることができる。
【００５５】
（Ａ３）（Ａ２）の処理の結果、黒い背景に線虫が白い粒状で表示される。
（Ａ４）計数部１１は、画像の縦横の中心にｘ座標、ｙ座標を設定する。さらに、計数部１１は、画像において、図１５に示す＋α、−αの線を設定する。シャーレ５ｆは、同じ大きさ、同じ方向で撮影されるので、計数部１１は、予め入力されている情報を基に、ｘ座標、ｙ座標、＋α、−αの線を容易に設定できる。
（Ａ５）計数部１１は、白い粒状に表示されている線虫を計数することで、線虫の最終位置座標を確認し（図１４のＳ１０１）、＋αの線を越えている線虫（図１４のＳ１０２）、−αの線を越えている線虫（図１４のＳ１０３）、＋αの線と、−αの線の間にいる線虫（図１４のＳ１０４）を計数する。
なお、（Ａ１）〜（Ａ５）に示す線虫の計数方法は一例であり、その他の方法が用いられてもよい。
【００５６】
図１４の説明に戻る。
ステップＳ１０４の後、計数部１１の計数結果を基に算出部１２が走性指数ＣＩを算出する（Ｓ１０５）。走性指数ＣＩは、以下の式（１)で算出される。
【００５７】
ＣＩ＝（Ｎ１−Ｎ２）／（Ｎ１＋Ｎ２）・・・（１)
【００５８】
次に、判定部１３がステップＳ１０５で算出した走性指数ＣＩが所定の値β（図１１の合格ラインに相当）より大きいか否かを判定する（Ｓ１０６）。
ステップＳ１０６の結果、走性指数ＣＩが所定の値βより大きい場合（Ｓ１０６→Ｙｅｓ）、判定部１３は問題なしと判定する（Ｓ１０７）。すなわち、判定部１３は、解析対象となっている線虫と同じロットから分注された線虫を用いた癌検査の信頼性は高いと判定する。
ステップＳ１０６の結果、走性指数ＣＩが所定の値β以下の場合（Ｓ１０６→Ｎｏ）、判定部１３は問題ありと判定する（Ｓ１０８）。すなわち、判定部１３は、解析対象となっている線虫と同じロットから分注された線虫を用いた癌検査の信頼性は低いと判定する。
ステップＳ１０８において、問題ありと判定された場合、検査者は解析対象となっている線虫のロットとは別のロットを用いることで、癌検査をやり直す。このようにすることで、信頼性の高い癌検査を行うことが可能となる。
【００５９】
その後、出力処理部１４は、ステップＳ１０７及びステップＳ１０８の判定結果を、検査結果通知書９００に記載する。
なお、検査走性解析であれば、検査分析装置４の算出部４１２が、ロット（線虫培養シャーレ５ａ；培養単位）毎における走性指数の平均値を算出し、算出した平均値を図８に示す検査解析データ２１における平均走性指数の欄に格納する。そして、検査分析装置４の判定部４１３は、平均走性指数の値を基に癌検査の結果として陽性・陰性を判定する。
【００６０】
［検査結果通知書］
図１６は、本実施形態に係る検査結果通知書の例を示す図である。
検査結果通知書９００は、被検者に示されるものであり、検査結果領域９０１と、品質保証領域９０２とを有する。
検査結果領域９０１には、線虫による癌検査結果（検査分析装置４による癌検査の結果）が印刷されている。なお、癌検査結果は、図９の「総合判定」の欄を参考に印刷されるものである。
品質保証領域９０２には、品質分析装置２による品質走性解析の結果が印刷されている。すなわち、癌検査に用いられている線虫の品質は保証されていることが印刷されている。このように、品質保証領域９０２を有することで、被検者の信頼を向上させることができる。
また、品質保証領域９０２には、品質走性解析の結果だけでなく、どのような基準で品質走性解析が行われたかの情報が印刷されてもよい。このようにすることで、被検者の癌検査に対する信頼性をさらに向上させることができる。
【００６１】
本実施形態に係る癌検査システムＺは、同一の線虫培養シャーレ５ａにおける線虫から、複数のシャーレ５ｂ〜５ｆに線虫を分注し、そのうち、シャーレ５ｂ〜５ｅにおける線虫を検査走性解析に用い、シャーレ５ｆにおける線虫を品質走性解析に用いる。このようにすることで、癌検査に用いられた線虫（線虫群）と同じ培養条件の線虫の品質を解析することができ、癌検査に用いられた線虫が検査に適正な条件であったのかを容易に確認することができる。
【００６２】
また、本実施形態に係る癌検査システムＺによれば、検査走性解析と、品質走性解析とにおける走性条件を同じとすることで、さらに品質保証を向上させることができる。
【００６３】
さらに、現在では、主に人手によって作業が行われているため、熟練度によって結果にばらつきが生じている。例えば、線虫を培地に滴下した後におけるバッファのふきとりでも、熟練者と非熟練者とでは結果に差が生じてしまう。あるいは、尿、線虫を麻痺させるためのアジ化ナトリウム、線虫の滴下に手間取ると、線虫の活動性が低下し、検査精度を大きく低下させてしまう。このように、同じ条件の線虫を用いていても、作業の熟練度によって検査精度が変わってしまう。また、実際の癌検査は、複数のシャーレを用いて行われる。すなわち、尿、線虫を麻痺させるためのアジ化ナトリウム、線虫の滴下が複数行われる。
結果として、癌検査の結果には、どのような状態の線虫が用いられたのか、どのような作業が行われたか、言い換えれば、使用された線虫の状態は癌検査に適した状態であったのかに関する情報が必要となってくる。
【００６４】
本実施形態において、品質走性解析と、検査走性解析とで検査者を同じとすることで、この検査者の行った癌検査の結果が妥当であるか否かを容易に判定することができる。
【００６５】
また、本実施形態の品質走性解析では、線虫の誘引行動もしくは忌避行動を基に、品質保証の判定を行っている。より具体的には、式（１）による走性指数ＣＩを基に、品質保証の判定を行っている。このようにすることで、定量的な品質保証の判定を行うことが可能となり、品質保証の信頼性を向上させることができる。
【００６６】
そして、本実施形態では、品質解析装置１が撮像部１０１を有しており、撮像部１０１が撮影した画像（撮像結果情報）を基に、シャーレ５ｆにおける線虫における誘引行動又は忌避行動を解析している。このようにすることで、画像処理を行った上での線虫の走性行動の解析が可能となる。
【００６７】
また、本実施形態では、線虫が誘引行動もしくは忌避行動を行うことが分かっている（どのような走性行動を行うかが分かっている）標準物質を用いることで、線虫がどのような状態（活動性等）であるかを確認することができる。とくに、線虫が強い誘引行動を示すイソアミルアルコールを用いることで、線虫がどのような状態（活動性等）であるかを顕著に示すことができる。
【００６８】
さらに、品質分析装置１及び検査分析装置２が、癌検査の結果とともに、品質保証に関する情報が記載された検査結果通知書９００を被検者に示すことで、被検者に対する癌検査の信頼性を向上させることができる。
【００６９】
本実施形態では、品質保証の判定として、「問題あり」、「問題なし」と２値化しているが、これに限らず、複数のランクで多値的に表示してもよい。
また、本実施形態では、検査結果通知書９００が紙に印刷されるものとしているが、これに限らず、被検者がログイン処理すれば、所定のＰＣ等の画面に表示されるものとしてもよい。
【００７０】
また、検査走性解析に用いられる検体としての尿は、滅菌フィルタや、雑物を除去するためのフィルタによるフィルタ処理が行われることが望ましい。
本実施形態では、検査走性解析に用いられる検体として尿が用いられているが、汗、被検査者２の細胞、血液、唾液、呼気等といった被検査者２に由来の生体関連物質を用いてもよい。
また、本実施形態では、野生種の線虫を用いることを想定しているが、線虫の嗅覚神経に、神経内カルシウム濃度を測定できるインディケータ遺伝子を発現される等した、遺伝子改変線虫が用いられてもよい（トランスジェニック線虫が用いられてもよいし、特定の遺伝子を破壊して欠失させたノックアウト線虫が用いられてもよい）。
【００７１】
また、本実施形態では、標準物質（又は尿）＋アジ化ナトリウムを図１５における符号８０１に滴下し、アジ化ナトリウムを図１５における符号８０２に滴下しているが、これに限らない。例えば、標準物質（又は尿）＋アジ化ナトリウムを培地の周辺部に同心円状に滴下してもよい。
また、本実施形態では、線虫を図１５におけるシャーレ５ｆの中心８０３に滴下しているが、線虫の走性行動を計測できる箇所であれば、これに限らない。例えば、線虫をシャーレ５ｆにおける培地上に散布して、どれくらい、標準物質（又は尿）＋アジ化ナトリウムの周辺に線虫が集まるかを計測してもよい。
【００７２】
なお、本発明は前記した実施形態に限定されるものではなく、様々な変形例が含まれる。例えば、前記した実施形態は本発明を分かりやすく説明するために詳細に説明したものであり、必ずしも説明したすべての構成を有するものに限定されるものではない。
【００７３】
また、前記した各構成、機能、各部１１〜１４，２１１〜２１４，４１１〜４１４、記憶装置２０２，４０２等は、それらの一部又はすべてを、例えば集積回路で設計すること等によりハードウェアで実現してもよい。また、図３及び図５で示すように、前記した各構成、機能等は、ＣＰＵ２０３，４０３等のプロセッサがそれぞれの機能を実現するプログラムを解釈し、実行することによりソフトウェアで実現してもよい。各機能を実現するプログラム、テーブル、ファイル等の情報は、図３及び図５に示すようにＨＤＤに格納すること以外に、メモリ２０１，４０１や、ＳＳＤ等の記録装置、又は、ＩＣ（Integrated Circuit）カードや、ＳＤ（Secure Digital）カード、ＤＶＤ（Digital Versatile Disc）等の記録媒体に格納することができる。
また、各実施形態において、制御線や情報線は説明上必要と考えられるものを示しており、製品上必ずしもすべての制御線や情報線を示しているとは限らない。実際には、ほとんどすべての構成が相互に接続されていると考えてよい。
【符号の説明】
【００７４】
１      品質解析装置（品質解析部）
２      品質分析装置（品質分析部）
３      検査解析装置（検査解析部）
４      検査分析装置（検査分析部）
５ａ    線虫培養シャーレ
５ｂ〜５ｅ  シャーレ（検査解析用線虫群が含まれる）
５ｆ    シャーレ（品質解析用線虫群が含まれる）
５１    検査用シャーレ（検査解析用線虫群が含まれる）
１１，２１１，４１１  計数部
１２，２１２，４１２  算出部
１３，２１３，４１３  判定部
１４，２１４，４１４  出力処理部
２１    検査解析データ
２２    培養条件データ
２３    走性条件データ
２４    品質解析データ
２５    線虫データ
１０１，３１１  撮像部
１０２，３１２  載置部
１０３，３１３  照明部
３０１  観察部
３０２  保管部
３０３  搬送部
９００  検査結果通知書
９０１  検査結果領域
９０２  品質保証領域
【図１】
2017081750.tif 000003
【図２】
2017081750.tif 000004
【図３】
2017081750.tif 000005
【図４】
2017081750.tif 000006
【図５】
2017081750.tif 000007
【図６】
2017081750.tif 000008
【図７】
2017081750.tif 000009
【図８】
2017081750.tif 000010
【図９】
2017081750.tif 000011
【図１０】
2017081750.tif 000012
【図１１】
2017081750.tif 000013
【図１２】
2017081750.tif 000014
【図１３】
2017081750.tif 000015
【図１４】
2017081750.tif 000016
【図１５】
2017081750.tif 000017
【図１６】
2017081750.tif 000018
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
同一の培養単位から複数の解析単位に分注された線虫群が、癌検査のための検査走性解析用の線虫群である検査解析用線虫群と、線虫の品質保証解析のための品質走性解析用の線虫群である品質解析用線虫群と、に分けられており、
前記線虫がどのような走性行動を行うかが分かっている標準物質に対する前記品質解析用線虫群の走性行動に関する情報を出力する品質解析部と、
前記品質解析部から出力される情報を基に、前記線虫の品質に関する情報を出力する品質分析部と、
被検者から提供された検体に対する前記検査解析用線虫群の走性行動に関する情報を出力する検査解析部と、
前記検査解析部から出力される情報を基に、前記線虫の前記検体に対する誘引行動及び忌避行動に関する走性結果情報を生成し、前記走性結果情報を基に、前記検体を提供した被験者における前記癌検査の結果を出力する検査分析部と、
を有することを特徴とする癌検査システム。
【請求項２】
前記品質分析部は、
前記標準物質に対する前記品質解析用線虫群の誘引行動又は忌避行動を基に、前記品質解析用線虫群の品質に関する情報を出力する
ことを特徴とする請求項１に記載の癌検査システム。
【請求項３】
前記品質分析部は
下記の式（１）による走性指数を基に、前記標準物質に対する前記品質解析用線虫群の誘引行動又は忌避行動を検出する
ことを特徴とする請求項２に記載の癌検査システム。
ＣＩ＝（Ｎ１−Ｎ２）／（Ｎ１＋Ｎ２）・・・（１）
ここで、ＣＩは走性指数であり、Ｎ１は前記標準物質に対して誘引行動を示した前記品質解析用線虫群における線虫の数であり、Ｎ２は前記標準物質に対して忌避行動を示した前記品質解析用線虫群における線虫の数である。
【請求項４】
前記品質解析部は、
撮像部を有しており、
前記撮像部は、
前記品質解析用線虫群の撮像を行い、
前記品質分析部は、
前記撮像部による撮像結果を基に、前記標準物質に対する前記品質解析用線虫群の走性行動を解析する
ことを特徴とする請求項１に記載の癌検査システム。
【請求項５】
前記標準物質は、イソアミルアルコールである
ことを特徴とする請求項１に記載の癌検査システム。
【請求項６】
前記検査分析部が、被検者に対して前記癌検査の結果を示すともに、前記品質分析部が、前記被験者に対して、前記品質解析用線虫群の品質に関する情報を示す
ことを特徴とする請求項１に記載の癌検査システム。
【請求項７】
同一の培養単位から複数の解析単位に分注された線虫群が、癌検査のための検査走性解析用の線虫群である検査解析用線虫群と、線虫の品質保証解析のための品質走性解析用の線虫群である品質解析用線虫群と、に分けられており、
被検者から提供された検体に対する前記線虫の走性行動を基に癌検査を行う癌検査システムが、
前記線虫がどのような走性行動を行うかが分かっている標準物質に対する前記品質解析用線虫群の走性行動に関する情報を出力し、
当該出力される情報を基に、前記線虫の品質に関する情報を出力する
とともに、
前記検体に対する前記検査解析用線虫群の走性行動に関する情報を出力し、
当該出力される情報を基に、前記線虫の前記検体に対する誘引行動及び忌避行動に関する走性結果情報を生成し、前記走性結果情報を基に、前記検体を提供した被験者における前記癌検査の結果を出力する
ことを特徴とする癌検査評価方法。
【請求項８】
前記癌検査システムが、
前記標準物質に対する前記品質解析用線虫群の誘引行動又は忌避行動を基に、前記品質解析用線虫群の品質に関する情報を出力する
ことを特徴とする請求項７に記載の癌検査評価方法。
【請求項９】
前記癌検査システムが
下記の式（２）による走性指数を基に、前記標準物質に対する前記品質解析用線虫群の誘引行動又は忌避行動を検出する
ことを特徴とする請求項８に記載の癌検査評価方法。
ＣＩ＝（Ｎ１−Ｎ２）／（Ｎ１＋Ｎ２）・・・（２）
ここで、ＣＩは走性指数であり、Ｎ１は前記標準物質に対して誘引行動を示した前記品質解析用線虫群における線虫の数であり、Ｎ２は前記標準物質に対して忌避行動を示した前記品質解析用線虫群における線虫の数である。
【請求項１０】
前記癌検査システムが、
撮像部によって前記品質解析用線虫群の撮像を行い、
前記撮像による撮像結果を基に、前記標準物質に対する前記品質解析用線虫群の走性行動を解析する
ことを特徴とする請求項７に記載の癌検査評価方法。
【請求項１１】
前記標準物質は、イソアミルアルコールである
ことを特徴とする請求項７に記載の癌検査評価方法。
【請求項１２】
前記癌検査システムが、被検者に対して前記癌検査の結果を示すともに、前記品質解析用線虫群の品質に関する情報を示す
ことを特徴とする請求項７に記載の癌検査評価方法。
【手続補正２】
【補正対象書類名】明細書
【補正対象項目名】０００６
【補正方法】変更
【補正の内容】
【０００６】
前記課題を解決するため、本発明は、同一の培養単位から複数の解析単位に分注された線虫群が、癌検査のための検査走性解析用の線虫群である検査解析用線虫群と、線虫の品質保証解析のための品質走性解析用の線虫群である品質解析用線虫群と、に分けられており、前記線虫がどのような走性行動を行うかが分かっている標準物質に対する前記品質解析用線虫群の走性行動に関する情報を出力する品質解析部と、前記品質解析部から出力される情報を基に、前記線虫の品質に関する情報を出力する品質分析部と、被検者から提供された検体に対する前記検査解析用線虫群の走性行動に関する情報を出力する検査解析部と、前記検査解析部から出力される情報を基に、前記線虫の前記検体に対する誘引行動及び忌避行動に関する走性結果情報を生成し、前記走性結果情報を基に、前記検体を提供した被験者における前記癌検査の結果を出力する検査分析部と、を有することを特徴とする。
その他の解決手段については、実施形態中において適宜記載する。
【国際調査報告】
2017081750.tif 000019
2017081750.tif 000020
2017081750.tif 000021
2017081750.tif 000022